(57)【要約】【課題】本発明は、シートパッドを股部分に含むサイクリングウェアと、サイクリングウェア用のシートパッドに関する。【解決手段】サイクリングウェア（１）が、股部分に配置されたシートパッド（２）を備え、シートパッドは、カバー（３）とパディング（４）とを備え、カバー（３）は、第１層と、外側層と、中間層との３層構造を備え、カバーの前側部分（５）は単層の皮膚に接触する布地のインサート（１０）で形成されている。【選択図】図１
2014237917.tif 000002
【特許請求の範囲】
【請求項１】
ウェアの股部分に配置されたシートパッド（２）を備えるサイクリングウェア（１）であって、
前記シートパッドは、前記サイクリングウェアに固定されたカバー（３）を備え、
前記カバー（３）は、前記ウェアが装着されると皮膚に接触するように前記ウェアの内側に面している第１層と、前記第１層に対向する外側層と、中間層と、を少なくとも備える多層構造を有し、
前記カバー（３）が、前記サイクリングウェアが装着されると陰部を収容するように配置される前側部分（５）であって、単層の皮膚に接触する布地で作製されている前側部分（５）を有することを特徴とする、サイクリングウェア（１）。
【請求項２】
前記カバー（３）が、内側層と外側層とに挟まれた中間層を含み、前記中間層は合成発泡ゴムで作製されており、好ましくは穿孔されている、請求項１に記載のサイクリングウェア。
【請求項３】
前記前側部分（５）が、前記カバー（３）に開口を切り、前記開口に皮膚に接触する布地のインサート（１０）を被せることで得られる、請求項１または２に記載のサイクリングウェア。
【請求項４】
前記インサート（１０）が、ナイロン、ライクラ（登録商標）、ポリエステル、またはこれらの材料の組合せで作製されている、請求項３に記載のサイクリングウェア。
【請求項５】
前記前側部分（５）が丸い形状を有する、請求項１から４のいずれか一項に記載のサイクリングウェア。
【請求項６】
サイクリングウェア（１）用のシートパッド（２）であって、
前記シートパッド（２）はカバー（３）を備え、
前記カバー（３）は第１層と、前記第１層に対向する外側層と、中間層と、を少なくとも備える多層構造を有し、
前記カバー（３）が、前記サイクリングウェアが装着されると陰部を収容するように配置される前側部分（５）であって、単層の皮膚に接触する布地で作製されている前側部分（５）を有することを特徴とする、シートパッド（２）。
【請求項７】
サイクリングウェア用のシートパッド（２）を作製する方法であって、
内側層と、中間層と、外側層と、を有するカバー（３）を準備するステップと、
使用中にユーザーの陰部を収容する前側部分（５）において前記カバー（３）の一片を切り取り、前記シートパッドに開口を残すステップと、
皮膚に接触する布地のインサート（１０）を前記開口に被せ、前記インサート（１０）を前記カバー（３）に固定するステップと、
を含む、方法。
【発明の詳細な説明】
【技術分野】
【０００１】
本発明は、サイクリング用スポーツウェアの分野に関する。本発明は、具体的には、股部分にシートパッドを含むサイクリングウェアと、サイクリングウェア用のシートパッドに関する。
【背景技術】
【０００２】
自転車のサドルと接触する身体部分のより良好な保護と快適性を求めて、サイクリングウェアにシートパッドを設けることは、既知の技法である。
【０００３】
シートパッドは、カバーとも称される柔らかい生地片とパディングを備えていてもよい。カバーは、たとえば縫い付け、糊付けまたは溶接、または他の技法によりウェアに固定される。パディングは通常は前記カバーまたはサイクリングウェアに固定された、２つ以上の成形パッドの形態をとる。
【０００４】
既知の技術によれば、カバーは一般的には多層構造であり、たとえば２つの生地層の間に挟まれた柔らかい発泡材料（ｅｘｐａｎｄｅｄ  ｍａｔｅｒｉａｌ）の層を含む。
【０００５】
特に激しい使用下でシートパッドの性能と快適性を向上させユーザーの期待に応えるために、継続的な努力が払われている。この点において、シートパッドまたはサイクリングウェアの陰部と接触する部分が非常に重要であることが知られている。陰部の良好な温度条件のみならず適切な支持は快適性にとって実際に重要である。特に男性器は適切な収容を必要とし、この目的に特化したシートパッドを具現化する努力が払われている。
【０００６】
このように、ユーザーの陰部における快適性を向上させるため特別な注意が払われている。
【０００７】
たとえば特許文献１は、男性器、特に陰嚢部を守り支持する解剖学的に成形されたシートパッド付きサイクリングウェアを開示している。
【０００８】
特許文献２は、ユーザーの身体に面して男性器を収容する空間を提供する股部分内側のスリーブを開示している。
【先行技術文献】
【特許文献】
【０００９】
【特許文献１】欧州特許出願公開第１９７２２１６号明細書
【特許文献２】欧州特許出願公開第２５１４３２９号明細書
【発明の概要】
【発明が解決しようとする課題】
【００１０】
本発明は、上記先行技術をさらに改良することを目的とする。本発明は、具体的には、特に男性ユーザーにとっての陰部の快適性を改良することを目的とする。
【課題を解決するための手段】
【００１１】
本発明の基本概念は、特に陰部の快適性に重点を置いた、また、好ましい用途によると男性器を収容する、シートパッドの一部分を提供することである。この部分では、従来の多層構造が皮膚に接触する布地の単層と入れ替わっている。皮膚に接触する布地という用語は、皮膚との直接接触に適した生地材料を指す。
【００１２】
したがって、本発明の目的は、ウェアの股部分に配置されたシートパッドを備えるサイクリングウェアを用いて果たされ、ここで：
シートパッドはサイクリングウェアに固定された成形された柔らかい生地片で作製されたカバーを備え、
前記カバーは、ウェアが装着されると皮膚に接触するようにウェアの内側に面している第１層と、前記第１層に対向する外側層と、中間層とを少なくとも備える多層構造を有し、
シートパッドの前記カバーは、サイクリングウェアが装着されると陰部を収容するように配置された前側部分であって、単層の皮膚に接触する布地で作製された前側部分を有することを、特徴とする。
【００１３】
カバーの多層構造は通常は３層を有し、これには内側層と外側層の間に挟まれた中間層が含まれる。中間層は通常は合成発泡ゴムで作製されており、好ましくは穿孔されている。本発明の好ましい実施形態によると、外側層も穿孔されていてよい。
【００１４】
好ましくは、前記前側部分は丸い形を有する。
【００１５】
好ましい実施形態では、多層カバーの一部分は切り取られ、前記皮膚に接触する布地で作製された適切なインサートと入れ替えられている。
【００１６】
シートパッドは、通常は前記カバーまたはサイクリングウェアに固定されたパディングを含む。
【００１７】
本発明は以下の利点を有する。シートパッドの残りの部分よりも軽量構造を有し、泡を含まないカバーの前側部分は、男性器が適切に収まる入れ物のようになる。さらに、単層前側部分はシートパッドの残りの部分よりも通気性が高いので激しい使用時も陰部を低温に保つ。
【００１８】
本発明のシートパッドは、通常は中間発泡層を有する従来の多層構造と、シートパッドの前側に陰部に対応して戦略的に配置されている軽量インサートとを組み合わせている。従来の構造は、たとえばパディングを適切に支持するなどの必要な支持と耐性、および発泡層によるダンピング効果を提供するが、軽量インサートは陰部の快適性と通気性を改良している。別の利点は、シートパッドの全体重量の減少である。
【００１９】
本発明の他の態様は、添付の特許請求の範囲によると、サイクリングウェアのシートパッドおよびシートパッドを作製する方法である。本発明の好ましい実施形態では、３層カバーの一部分が切り取られ、前記皮膚に接触する布地で作製された適切なインサートと入れ替えられている。
【００２０】
本明細書および添付の特許請求の範囲において、サイクリングウェアという用語は、少なくともボディスーツ、ズボンなどの股部分を有するズボン部分を含む様々な物品を包含することに注意されたい。
【００２１】
次に本発明を以下の詳しい説明により詳述するが、以下の詳しい説明は限定ではなく例示を目的とする。
【図面の簡単な説明】
【００２２】
【図１】本発明の一実施形態によるサイクリングウェアの図である。
【図２】図１のサイクリングウェアのシートパッドの上面図である。
【発明を実施するための形態】
【００２３】
図１は、股部分にシートパッド２を含むサイクリングウェア１を示す。サイクリングウェア１は、ライクラ（登録商標）などの適切な弾性生地で作製され、本発明の様々な実施形態および使用意図、たとえば夏用、冬用、男性用、女性用などにより、ボディスーツ、ズボン、その他などの様々な形を有してもよい。
【００２４】
シートパッド２は、カバー３を形成する柔らかい生地片を含む。前記カバー３はサイクリングウェア１の股部分の内側に固定される（たとえば縫い付けられる）。シートパッド２は、たとえば前記カバー３に固定された２つのパッド４を含む適切なパディングも備える。
【００２５】
図２は、シートパッドの典型的な形状を示し、前記パッド２は前および／または後ろの部分に凹型シェルを有してもよい。
【００２６】
カバー３は一般的には多層構造を有し、たとえば第１層と、柔らかい中間層と、外側層とを含む。中間層は通常は合成発泡ゴムの層であり、好ましくは穿孔されている。
【００２７】
前記カバー３は、単層の皮膚に接触する布地で作製された前側部分５を上述の３層の代わりに含む。
【００２８】
この目的で、シートパッドを作製する製法は以下の基本的ステップを含んでもよい：
−内側層、中間層および外側層を有する前記カバー３を準備するステップ、
−前記カバー３の前側部分を切り取りシートパッドに開口を残すステップ、および
−皮膚に接触する布地のインサート１０を前記開口に被せ、前記インサートをカバー３に固定するステップ。
【００２９】
前記インサート１０は、縫い付け、糊付けまたは熱溶接などのあらゆる技法でカバー３の残りの部分に固定できる。インサート１０はたとえばナイロンまたはライクラ（登録商標）、ポリエステルまたはそれらの組合せで作製される。
【００３０】
カバー３の中間と後ろの部分ならびにウェア１に縫い付けられた前側境界部分はより強い３層構成を維持する一方で、この３層が、薄く軽量のインサート１０で入れ替えられた前側部分５は、陰部、特に男性器に最適な快適性、通気性および空間を提供することが理解できよう。
【図１】
2014237917.tif 000003
【図２】
2014237917.tif 000004